(57)【特許請求の範囲】
【請求項１】
内周壁（４）に抜け止め手段を設けて一体に成形した金属枠（２）の内部にガラス（３）を溶かして流し込み、徐冷固化して金属枠（２）とガラス（３）を一体化した複合ガラスブロック体。
【請求項２】
金属枠（２）とガラス（３）の境目に生じた隙間に、コーキング材（５）を充填してあることを特徴とする請求項１記載の複合ガラスブロック体。
【請求項３】
土台となる外枠（６）内に、様々な色のガラスを埋め込んだ請求項１又は２記載の複合ガラスブロック体（１）を平面的に多数並べて外枠（６）に固定し、組み合わせ模様を構成した装飾物。
【発明の詳細な説明】
【０００１】
【発明の属する技術分野】
本発明は、建物の窓や外壁等に強い印象を付加できるガラスを用いた装飾物と、その構成要素となる複合ガラスブロック体に関するものである。
【０００２】
【従来の技術】
建築においてガラスはもっぱら板ガラスの形で窓に使用されてきたが、近年ガラスブロックと称する内部が空洞となった四角いガラス製のブロック体が登場し、建物の外壁や歩道等に採用され、ガラスの持つ透明感や清涼な質感によって好評を得ている。
【０００３】
【発明が解決しようとする課題】
ガラスブロックの外壁等への施工方法は、煉瓦やタイルと同じようにセメントやモルタルを壁面及びガラスブロックどうしの隙間に塗りながら、ガラスブロックを積み重ねて固着する形態を採っている。そのため美しい仕上がりとなるか否かは施工する作業者の技量にゆだねられる部分が大きい。またそうした施工方法であるために、基礎となる面がなければガラスブロックを施工することは困難であって、壁の開口部等に光が透過する状態で施工することはできなかった。
【０００４】
本発明は上記実情に鑑みて成されたものであって、施工にあたって作業者の高度な技量を必要とせず、開口部に光が透過する状態で施工できる複合ガラスブロック体と、その集合体である装飾物を提供することを目的とする。
【０００５】
【課題を解決するための手段】
上記の課題を達成するために本発明の複合ガラスブロック体は、内周壁に抜け止め手段を設けて一体に成形した金属枠の内部にガラスを溶かして流し込み、徐冷固化して金属枠とガラスを一体化したことを特徴とする。
【０００６】
金属枠の金属の種類は特に限定するものでは無いが、軽くて錆び難いものを一体成形することが好ましく、よってアルミ合金や銅合金の鋳物が適している。外形の形状は三角形、四角形や丸い形等どんな形であっても良いが、後でブロック体どうしを組み合わせることを考えると、正方形が最も好ましい。金属枠から固化したガラスが抜け落ちては困るので、ガラスに接する金属枠の内周壁には何らかの抜け止め手段を講ずる必要がある。具体的には内周壁を厚み方向の中央部が盛り上がった形にするか、あるいは内周壁に係止溝、あるいは突出する係止片を設けるなどして固まったガラスが引っ掛かるようにしさえすれば良い。金属枠内部に流し込むガラスの形態については金属枠内にきっちり収まって固化したものは無論、金属枠の表面から溢れ出て固化したものも含まれる。
【０００７】
ガラスは冷えて固まると若干凝縮するので、金属枠との境目に僅かな隙間を生じるが、この隙間に請求項２記載の発明のようにシリコン樹脂等のコーキング材を充填しておけば防水性を確保できるとともに、熱膨張と振動の吸収機能も付加できる。
【０００８】
このように構成された複合ガラスブロックは、従来のガラスブロックのようにセメントやモルタルを使用しても無論施工できるが、金属枠がガラスと一体となっているために、ボルト等の機械的な固定手段を使用して施工するのに適しており、よって特別な技量が無くても簡単でしかもきれいに施工できるようになる。
【０００９】
また、ガラスには様々な色を付けることが可能なので、請求項３に記載した通り、土台となる外枠内に、様々な色のガラスを埋め込んだ請求項１又は２記載の複合ガラスブロック体を平面的に多数並べて外枠に固定し、組み合わせ模様を構成した装飾物を製作することができ、これを壁の開口部等に嵌め込んだならば、太陽光線がガラスを透過してステンドグラスのような幻想的な効果が生まれる。
【００１０】
【発明の実施の形態】
以下、本発明の複合ガラスブロック体とこれを用いた装飾物の実施形態を図面に基づいて説明する。図１に示したのが本発明の複合ガラスブロック体１の基本的な実施形態であって、正方形の金属枠２に溶けたガラス３を流し込み、ガラス３を徐冷固化して金属枠２と一体化したものである。
【００１１】
金属枠２はアルミ合金を鋳造によって形作ったものであって、枠の内周壁４は図１（ロ）に示すように、厚み方向の中央部が盛り上がる形になっている。こうするのは固化したガラス３が金属枠２から抜け落ちるのを防ぐためであって、別の形態としては図２（イ）に示すように内周壁４に突出した係止片７を設けても良いし、ガラス３が金属枠２の表面から溢れ出ている場合には、図２（ロ）に示すように内周壁４を末広がりのテーパー状に形成しても同様にガラス３の抜け落ちを防止できる。金属枠２の外形形状については、無論正方形に限定するものでは無い。
【００１２】
複合ガラスブロック体１の製造手順は、上記の金属枠２を鋳造によって形成し、出来上がった金属枠２の内部に炉で溶かしたガラス３を流し込む。ガラス３は金属枠２の表面に溢れ出る状態でも枠内に収まり切る状態でもどちらでも良い。ガラス３には所定の色を発色させるための鉱物等が混ぜてある。流し込んだ後、本複合ガラスブロック体１を徐冷釜に入れ、ガラス３にひび割れが生じないように長時間かけて徐冷しガラス３を固化させる。ガラス３の凝縮によって生じたガラス３と金属枠２の僅かな隙間には、接着性・粘着性のある市販のコーキング材５、例えばシリコン樹脂等を充填して隙間を埋める。
【００１３】
以上の工程を経て複合ガラスブロック体１は完成品となるが、以下にこれを基に構築される装飾物の実施形態について述べる。本発明の複合ガラスブロックは、従来のタイルやガラスブロックのように、建物の外壁にセメントやモルタルを使用して貼り付けることもできるが、むしろ以下に述べるように土台となる外枠にボルト等を使用して固定するのに適している。
【００１４】
図３から図５に示したのは明り取り用の窓に使用した例である。この場合には壁の開口部に金属性の外枠６を嵌め込み、さらにその外枠６の内側に複合ガラスブロック体１を多数嵌め込んで構成されている。外枠６の内部には複合ガラスブロック体１を保持するための棧１０が縦横に多数渡っており、複合ガラスブロック体１の大きさに合った升目１１が形成され、棧１０の交差部には雌ネジ穴１２が空けてある。
【００１５】
ここで使用する複合ガラスブロック体１の金属枠２の裏面側は、外枠６の棧１０によって形成された升目１１に嵌合するように段差部１３が設けられ、隅角には４ヶの複合ガラスブロック体１を寄せ集めた時にボルト１４の貫通穴と座面が形成されるような切り欠き１５を備えている。よって段差部１３を升目１１に嵌め込むようにして一つずつ複合ガラスブロック体１を外枠６に配置して、隅角を座金１６とボルト１４で順次押さえていくことで、簡単に複合ガラスブロック体１を外枠６に取り付けることができる。このように組み立てには特別な技術が何ら必要ない。
【００１６】
本発明の装飾物の用途はなにも一般住宅の窓に限ったものでは無く、店鋪において集客のためのディスプレイとして用いても効果的であるし、橋の欄干やフェンス、さらにはドアや門扉、パーテーション等の開口部に埋め込む等、幅広い用途が考えられる。
【００１７】
【発明の効果】
本発明のうち請求項１記載の複合ガラスブロックは、金属製の枠とガラスを一体化したものであり、セメントやモルタルを使用せずにボルト等の機械的な固定手段によって施工できるので、作業者の技量の度合に関係なく、誰にでも簡単にしかもきれいに施工できる。また複合ガラスブロック体は、抜け止め手段によってガラスが金属枠から抜け落ちることがなく、ガラスの周囲が金属枠で囲まれていることから堅牢な構造となってガラスが割れる恐れはほとんど無い。
【００１８】
さらに請求項２記載の発明によれば、本複合ガラスブロック体に防水性を確保できると共に、熱膨張や振動・衝撃の吸収性能が付加され、より一層優れた製品となる。
【００１９】
請求項３記載の発明による装飾物は、複合ガラスブロック体が集まって模様が構成されており、これを壁の開口部等に嵌め込んで光を透過させることによって、ステンドグラスと同じように幻想的な空間を演出できる。
【図面の簡単な説明】
【図１】（イ）（ロ）
本発明による複合ガラスブロック体の実施形態を示す平面図とＡ−Ａ断面図である。
【図２】（イ）（ロ）
抜け止め手段の別の実施形態を示す断面図である。
【図３】  外枠を用いた明り取り用の窓のための装飾物の平面図である。
【図４】  図３の実施形態においての複合ガラスブロック体の取り付け構造を示す斜視図である。
【図５】  図４におけるＡ−Ａ断面図である。
【符号の説明】
１  複合ガラスブロック体
２  金属枠
３  ガラス
４  内周壁
５  コーキング材
６  外枠
【図１】
0004558120.tif 000002
【図２】
0004558120.tif 000003
【図３】
0004558120.tif 000004
【図４】
0004558120.tif 000005
【図５】
0004558120.tif 000006